(57)【特許請求の範囲】
【請求項１】
第１画素と、前記第１画素に隣接して配置された第２画素、第３画素および第４画素を備え、
前記第１画素および前記第２画素は、共通の第１有機層を有し、
前記第１画素および前記第３画素は、共通の第２有機層を有し、
前記第１画素および前記第４画素は、共通の第３有機層を有し、
前記第１画素、前記第２画素、前記第３画素および前記第４画素は、前記第１有機層、前記第２有機層、前記第３有機層の上に、共通の第４有機層を有し、
前記第１有機層は、前記第２画素から前記第１画素へ延在する赤色光を発する有機層であり、
前記第２有機層は、前記第３画素から前記第１画素へ延在する緑色光を発する有機層であり、
前記第３有機層は、前記第４画素から前記第１画素へ延在する青色光を発する有機層であり、
前記第４有機層は、前記第１画素、前記第２画素、前記第３画素および前記第４画素を含む表示領域全体に形成された白色光を発する有機層である
発光パネル。
【請求項２】
第１画素と、前記第１画素に隣接して配置された第２画素、第３画素および第４画素を備え、
前記第１画素および前記第２画素は、共通の第１有機層を有し、
前記第１画素および前記第３画素は、共通の第２有機層を有し、
前記第１画素および前記第４画素は、共通の第３有機層を有し、
前記第１画素、前記第２画素、前記第３画素および前記第４画素は、前記第１有機層、前記第２有機層、前記第３有機層の上に、共通の第４有機層を有し、
前記第１有機層および前記第２有機層は、前記第２画素、前記第３画素および前記第１画素にとって共通の有機層であって、かつ、黄色光を発する有機層であり、
前記第３有機層は、前記第４画素から前記第１画素へ延在する青色光を発する有機層であり、
前記第４有機層は、前記第１画素、前記第２画素、前記第３画素および前記第４画素を含む表示領域全体に形成された白色光を発する有機層である
発光パネル。
【請求項３】
表示パネルと、前記表示パネルを駆動する駆動回路とを備え、
前記表示パネルは、第１画素と、前記第１画素に隣接して配置された第２画素、第３画素および第４画素を有し、
前記第１画素および前記第２画素は、共通の第１有機層を有し、
前記第１画素および前記第３画素は、共通の第２有機層を有し、
前記第１画素および前記第４画素は、共通の第３有機層を有し、
前記第１画素、前記第２画素、前記第３画素および前記第４画素は、前記第１有機層、前記第２有機層、前記第３有機層の上に、共通の第４有機層を有し、
前記第１有機層は、前記第２画素から前記第１画素へ延在する赤色光を発する有機層であり、
前記第２有機層は、前記第３画素から前記第１画素へ延在する緑色光を発する有機層であり、
前記第３有機層は、前記第４画素から前記第１画素へ延在する青色光を発する有機層であり、
前記第４有機層は、前記第１画素、前記第２画素、前記第３画素および前記第４画素を含む表示領域全体に形成された白色光を発する有機層である
表示装置。
【請求項４】
表示パネルと、前記表示パネルを駆動する駆動回路とを備え、
前記表示パネルは、第１画素と、前記第１画素に隣接して配置された第２画素、第３画素および第４画素を有し、
前記第１画素および前記第２画素は、共通の第１有機層を有し、
前記第１画素および前記第３画素は、共通の第２有機層を有し、
前記第１画素および前記第４画素は、共通の第３有機層を有し、
前記第１画素、前記第２画素、前記第３画素および前記第４画素は、前記第１有機層、前記第２有機層、前記第３有機層の上に、共通の第４有機層を有し、
前記第１有機層および前記第２有機層は、前記第２画素、前記第３画素および前記第１画素にとって共通の有機層であって、かつ、黄色光を発する有機層であり、
前記第３有機層は、前記第４画素から前記第１画素へ延在する青色光を発する有機層であり、
前記第４有機層は、前記第１画素、前記第２画素、前記第３画素および前記第４画素を含む表示領域全体に形成された白色光を発する有機層である
表示装置。
【請求項５】
表示装置を備え、
前記表示装置は、表示パネルと、前記表示パネルを駆動する駆動回路とを有し、
前記表示パネルは、第１画素と、前記第１画素に隣接して配置された第２画素、第３画素および第４画素を有し、
前記第１画素および前記第２画素は、共通の第１有機層を有し、
前記第１画素および前記第３画素は、共通の第２有機層を有し、
前記第１画素および前記第４画素は、共通の第３有機層を有し、
前記第１画素、前記第２画素、前記第３画素および前記第４画素は、前記第１有機層、前記第２有機層、前記第３有機層の上に、共通の第４有機層を有し、
前記第１有機層は、前記第２画素から前記第１画素へ延在する赤色光を発する有機層であり、
前記第２有機層は、前記第３画素から前記第１画素へ延在する緑色光を発する有機層であり、
前記第３有機層は、前記第４画素から前記第１画素へ延在する青色光を発する有機層であり、
前記第４有機層は、前記第１画素、前記第２画素、前記第３画素および前記第４画素を含む表示領域全体に形成された白色光を発する有機層である
電子機器。
【請求項６】
表示装置を備え、
前記表示装置は、表示パネルと、前記表示パネルを駆動する駆動回路とを有し、
前記表示パネルは、第１画素と、前記第１画素に隣接して配置された第２画素、第３画素および第４画素を有し、
前記第１画素および前記第２画素は、共通の第１有機層を有し、
前記第１画素および前記第３画素は、共通の第２有機層を有し、
前記第１画素および前記第４画素は、共通の第３有機層を有し、
前記第１画素、前記第２画素、前記第３画素および前記第４画素は、前記第１有機層、前記第２有機層、前記第３有機層の上に、共通の第４有機層を有し、
前記第１有機層および前記第２有機層は、前記第２画素、前記第３画素および前記第１画素にとって共通の有機層であって、かつ、黄色光を発する有機層であり、
前記第３有機層は、前記第４画素から前記第１画素へ延在する青色光を発する有機層であり、
前記第４有機層は、前記第１画素、前記第２画素、前記第３画素および前記第４画素を含む表示領域全体に形成された白色光を発する有機層である
電子機器。
【発明の詳細な説明】
【技術分野】
【０００１】
本技術は、例えば有機ＥＬ(electro luminescence)素子などの自発光素子を備えた発光パネルならびにそれを備えた表示装置および電子機器に関する。
【背景技術】
【０００２】
近年、画像表示を行う表示装置の分野では、画素の発光素子として、流れる電流値に応じて発光輝度が変化する電流駆動型の光学素子、例えば有機ＥＬ素子を用いた表示装置が開発され、商品化が進められている（例えば、特許文献１参照）。有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて画像の視認性が高く、消費電力が低く、かつ素子の応答速度が速い。
【先行技術文献】
【特許文献】
【０００３】
【特許文献１】特開２０１１−２３２４０号公報
【発明の概要】
【発明が解決しようとする課題】
【０００４】
ところで、有機ＥＬ表示装置においてカラー表示を実現するために、サブピクセルの色の種類ごとに有機層を塗り分けることが一般的に行われている。例えば、赤色用のサブピクセルには赤色用の有機層が塗られ、緑色用のサブピクセルには緑色用の有機層が塗られ、青色用のサブピクセルには青色用の有機層が塗られる。しかし、サブピクセルがこのような構成となっている場合には、白発光時に、全てのサブピクセルを点灯させることが必要となるので、消費電力が高くなってしまう。
【０００５】
そこで、白表示用のサブピクセルをさらに設けることが考えられる。例えば、図１４に示したように、全てのサブピクセル１３Ｒ，１３Ｇ，１３Ｂ，１３Ｗにおいて赤色用、緑色用、青色用および白色用の有機層３４Ｒ，３４Ｇ，３４Ｂ，３４Ｗを積層し、各サブピクセル１３Ｒ，１３Ｇ，１３Ｂ，１３Ｗの構成を同一にした上で、カラーフィルタ３７によって色分離を行うことが考えられる。そのようにした場合には、白発光時の消費電力を下げることはできるが、他の色を発光する際にカラーフィルタ３７によるロスが生じるため、他の色を発光する際の消費電力が高くなってしまう。そこで、例えば、図１５に示したように、白色用のサブピクセル１３Ｗだけ、他のサブピクセル１３Ｒ，１３Ｇ，１３Ｂに塗った有機層を全て積層することが考えられる。しかし、そのようにした場合には、製造工程数が増加し、コストが増加してしまう。
【０００６】
本技術はかかる問題点に鑑みてなされたものであり、その目的は、製造工程数および消費電力の双方の増加を抑えることの可能な発光パネル、ならびにそれを備えた表示装置および電子機器を提供することにある。
【課題を解決するための手段】
【０００７】
本技術による第１の発光パネルおよび第２の発光パネルは、それぞれ、第１画素と、第１画素に隣接して配置された第２画素、第３画素および第４画素を備えている。第１画素および第２画素は、共通の第１有機層を有している。同様に、第１画素および第３画素は、共通の第２有機層を有し、第１画素および第４画素は、共通の第３有機層を有している。第１画素、第２画素、第３画素および第４画素は、第１有機層、第２有機層、第３有機層の上に、共通の第４有機層を有している。
第１の発光パネルにおいて、第１有機層は、第２画素から第１画素へ延在する赤色光を発する有機層であり、第２有機層は、第３画素から第１画素へ延在する緑色光を発する有機層であり、第３有機層は、第４画素から第１画素へ延在する青色光を発する有機層であり、第４有機層は、第１画素、第２画素、第３画素および第４画素を含む表示領域全体に形成された白色光を発する有機層である。
第２の発光パネルにおいて、第１有機層および第２有機層は、第２画素、第３画素および第１画素にとって共通の有機層であって、かつ、黄色光を発する有機層であり、第３有機層は、第４画素から第１画素へ延在する青色光を発する有機層であり、第４有機層は、第１画素、第２画素、第３画素および第４画素を含む表示領域全体に形成された白色光を発する有機層である。
【０００８】
本技術による表示装置は、上述の第１の発光パネルもしくは上述の第２の発光パネルを表示パネルとして備えており、さらに、その表示パネルを駆動する駆動回路も備えている。本技術による電子機器は、上記の表示装置を備えている。
【０００９】
本技術による第１の発光パネル、第２の発光パネル、表示装置および電子機器では、第１画素に隣接する第２画素、第３画素および第４画素は、それぞれ、第１画素と共通の有機層を有している。これにより、第１画素だけ点灯することにより、例えば、白発光が可能となる。また、第１有機層、第２有機層および第３有機層が画素ごとの色に対応した色光を発するようになっている場合には、第２画素、第３画素または第４画素を点灯することにより、例えば、赤発光、緑発光または青発光が可能となる。また、第１有機層、第２有機層および第３有機層が黄色光を発するようになっている場合には、第２画素、第３画素または第４画素を点灯し、その光をカラーフィルタなどに透過させることにより、例えば、赤発光、緑発光または青発光が可能となる。その結果、カラーフィルタによる大幅な発光ロスをなくすことができる。また、本技術では、互いに隣接する画素に対して共通の有機層が設けられているので、第２画素、第３画素および第４画素の塗り分けと同工程数で、第１画素、第２画素、第３画素および第４画素の塗り分けが可能である。
【発明の効果】
【００１０】
本技術による第１の発光パネル、第２の発光パネル、表示装置および電子機器によれば、カラーフィルタによる大幅な発光ロスをなくし、かつ第２画素、第３画素および第４画素の塗り分けと同工程数で、第１画素、第２画素、第３画素および第４画素の塗り分けができるようにしたので、製造工程数および消費電力の双方の増加を抑えることができる。
【図面の簡単な説明】
【００１１】
【図１】本技術による一実施の形態に係る表示装置の構成の一例を表す図である。
【図２】図１のサブピクセルの回路構成の一例を表す図である。
【図３】図１のサブピクセルのレイアウトの一例を表す図である。
【図４】隣接画素間において共用された有機層のレイアウトの一例を表す図である。
【図５】図４のＡ−Ａ矢視方向の断面構成の一例を表す図である。
【図６】隣接画素間において共用された有機層のレイアウトの他の例を表す図である。
【図７】図６のＡ−Ａ矢視方向の断面構成の一例を表す図である。
【図８】上記実施の形態およびその変形例に係る表示装置を含むモジュールの概略構成を表す平面図である。
【図９】上記実施の形態およびその変形例に係る表示装置の適用例１の外観を表す斜視図である。
【図１０】（Ａ）は適用例２の表側から見た外観を表す斜視図であり、（Ｂ）は裏側から見た外観を表す斜視図である。
【図１１】適用例３の外観を表す斜視図である。
【図１２】適用例４の外観を表す斜視図である。
【図１３】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【図１４】従来のサブピクセルの断面構成の一例を表す図である。
【図１５】従来のサブピクセルの断面構成の他の例を表す図である。
【発明を実施するための形態】
【００１２】
以下、発明を実施するための形態について、図面を参照して詳細に説明する。なお、説明は以下の順序で行う。
１．実施の形態
２．変形例
３．モジュールおよび適用例
【００１３】
＜１．実施の形態＞
[構成]
図１は、本技術の一実施の形態に係る表示装置１の全体構成の一例を表したものである。この表示装置１は、表示パネル１０と、表示パネル１０を駆動する駆動回路２０とを備えている。
【００１４】
表示パネル１０は、複数の表示画素１４が２次元配置された表示領域１０Ａを有している。表示パネル１０は、外部から入力された映像信号２０Ａに基づく画像を、各表示画素１４をアクティブマトリクス駆動することにより表示するものである。各表示画素１４は、発光色の互いに異なる複数種類のサブピクセルを含んでいる。具体的には、各表示画素１４は、赤色用のサブピクセル１３Ｒと、緑色用のサブピクセル１３Ｇと、青色用のサブピクセル１３Ｂと、白色用のサブピクセル１３Ｗとを含んでいる。なお、以下では、サブピクセル１３Ｒ，１３Ｇ，１３Ｂ，１３Ｗの総称としてサブピクセル１３を用いるものとする。
【００１５】
図２は、サブピクセル１３の回路構成の一例を表したものである。サブピクセル１３は、有機ＥＬ素子１１と、有機ＥＬ素子１１を駆動する画素回路１２とを有している。なお、サブピクセル１３Ｒには、有機ＥＬ素子１１として、赤色のＥＬ光を発する有機ＥＬ素子１１Ｒが設けられている。同様に、サブピクセル１３Ｇには、有機ＥＬ素子１１として、緑色のＥＬ光を発する有機ＥＬ素子１１Ｇが設けられている。サブピクセル１３Ｂには、有機ＥＬ素子１１として、青色のＥＬ光を発する有機ＥＬ素子１１Ｂが設けられている。サブピクセル１３Ｗには、有機ＥＬ素子１１として、白色のＥＬ光を発する有機ＥＬ素子１１Ｗが設けられている。
【００１６】
画素回路１２は、例えば、書込トランジスタＴｗｓと、駆動トランジスタＴｄｒと、保持容量Ｃｓとを含んで構成されたものであり、２Ｔｒ１Ｃの回路構成となっている。なお、画素回路１２は、２Ｔｒ１Ｃの回路構成に限られるものではなく、互いに直列接続された２つの書込トランジスタＴｗｓを有していてもよいし、上記以外のトランジスタや、容量を有していてもよい。
【００１７】
書込トランジスタＴｗｓは、映像信号２０Ａに対応する電圧を保持容量Ｃｓに書き込むトランジスタである。駆動トランジスタＴｄｒは、書込トランジスタＴｗｓによって書き込まれた保持容量Ｃｓの電圧に基づいて有機ＥＬ素子１１を駆動するトランジスタである。書込トランジスタＴｗｓおよび駆動トランジスタＴｄｒは、例えば、ｎチャネルＭＯＳ型の薄膜トランジスタ（ＴＦＴ（Thin Film Transistor））により構成されている。なお、書込トランジスタＴｗｓおよび駆動トランジスタＴｄｒは、ｐチャネルＭＯＳ型のＴＦＴにより構成されていてもよい。
【００１８】
駆動回路２０は、タイミング生成回路２１、映像信号処理回路２２、データ線駆動回路２３、ゲート線駆動回路２４およびドレイン線駆動回路２５を有している。駆動回路２０は、また、データ線駆動回路２３の出力に接続されたデータ線ＤＴＬと、ゲート線駆動回路２４の出力に接続されたゲート線ＷＳＬと、ドレイン線駆動回路２５の出力に接続されたドレイン線ＤＳＬとを有している。駆動回路２０は、さらに、有機ＥＬ素子１１のカソードに接続されたグラウンド線ＧＮＤ（図２参照）を有している。なお、グラウンド線ＧＮＤは、グラウンドに接続されるものであり、グラウンドに接続されたときにグラウンド電圧となる。
【００１９】
タイミング生成回路２１は、例えば、データ線駆動回路２３、ゲート線駆動回路２４およびドレイン線駆動回路２５が連動して動作するように制御するものである。タイミング生成回路２１は、例えば、外部から入力された同期信号２０Ｂに応じて（同期して）、これらの回路に対して制御信号２１Ａを出力するようになっている。
【００２０】
映像信号処理回路２２は、例えば、外部から入力されたデジタルの映像信号２０Ａを補正すると共に、補正した後の映像信号をアナログに変換して信号電圧２２Ｂをデータ線駆動回路２３に出力するものである。
【００２１】
データ線駆動回路２３は、制御信号２１Ａの入力に応じて（同期して）、映像信号処理回路２２から入力されたアナログの信号電圧２２Ｂを、各データ線ＤＴＬを介して、選択対象の表示画素１４（またはサブピクセル１３）に書き込むものである。データ線駆動回路２３は、例えば、信号電圧２２Ｂと、映像信号とは無関係の一定電圧とを出力することが可能となっている。
【００２２】
ゲート線駆動回路２４は、制御信号２１Ａの入力に応じて（同期して）、複数のゲート線ＷＳＬに選択パルスを順次印加して、複数の表示画素１４（またはサブピクセル１３）をゲート線ＷＳＬ単位で順次選択するものである。ゲート線駆動回路２４は、例えば、書込トランジスタＴｗｓをオンさせるときに印加する電圧と、書込トランジスタＴｗｓをオフさせるときに印加する電圧とを出力することが可能となっている。
【００２３】
ドレイン線駆動回路２５は、制御信号２１Ａの入力に応じて（同期して）、所定の電圧を、各ドレイン線ＤＳＬを介して、各画素回路１２の駆動トランジスタＴｄｒのドレインに出力するようになっている。ドレイン線駆動回路２５は、例えば、有機ＥＬ素子１１を発光させるときに印加する電圧と、有機ＥＬ素子１１を消光させるときに印加する電圧とを出力することが可能となっている。
【００２４】
次に、図２を参照して、各構成要素の接続関係および配置について説明する。ゲート線ＷＳＬは、行方向に延在して形成されており、書込トランジスタＴｗｓのゲートに接続されている。ドレイン線ＤＳＬも行方向に延在して形成されており、駆動トランジスタＴｄｒのドレインに接続されている。データ線ＤＴＬは列方向に延在して形成されており、書込トランジスタＴｗｓのドレインに接続されている。
【００２５】
書込トランジスタＴｗｓのソースは、駆動トランジスタＴｄｒのゲートと、保持容量Ｃｓの一端とに接続されている。駆動トランジスタＴｄｒのソースと保持容量Ｃｓの他端（書込トランジスタＴｗｓに未接続の端子）とが、有機ＥＬ素子１１のアノードに接続されている。有機ＥＬ素子１１のカソードは、グラウンド線ＧＮＤに接続されている。カソードは、例えば、表示領域１０Ａ全面に渡って形成されている。
【００２６】
次に、図３を参照して、サブピクセル１３および表示画素１４のレイアウトについて説明する。図３は、サブピクセル１３および表示画素１４のレイアウトの一例を表したものである。
【００２７】
表示画素１４は、例えば、図３に示したように、互いに直交する行方向および列方向に２次元配置されている。各表示画素１４は、発光色の互いに異なる複数種類のサブピクセル１３を含んで構成されており、例えば、４種類のサブピクセル１３Ｒ，１３Ｇ，１３Ｂ，１３Ｗを含んで構成されている。図３では、各サブピクセル１３Ｒ，１３Ｇ，１３Ｂ，１３Ｗが、それぞれ、表示画素１４の４隅に１つずつ配置されている。各サブピクセル１３Ｒ，１３Ｇ，１３Ｂ，１３Ｗは、例えば、方形状となっている。サブピクセル１３Ｒ，１３Ｇ，１３Ｂは、それぞれ、サブピクセル１３Ｗに隣接して配置されている。
【００２８】
次に、図４を参照して、表示パネル１０の表示領域１０Ａにおける断面構成について説明する。図４は、図３のＡ−Ａ矢視方向の断面構成の一例を表したものである。
【００２９】
表示パネル１０は、例えば、図４に示したように、表示領域１０Ａにおいて、画素回路１２の形成された回路基板３１上に有機ＥＬ素子１１（１１Ｒ，１１Ｇ，１１Ｂ，１１Ｗ）を有している。表示パネル１０は、さらに、例えば、有機ＥＬ素子１１の上に、絶縁層３６を介してカラーフィルタ３７を有している。カラーフィルタ３７は、有機ＥＬ素子１１Ｒとの対向領域に、赤色の光透過性フィルタ３７Ｒを有しており、有機ＥＬ素子１１Ｇとの対向領域に、緑色の光透過性フィルタ３７Ｇを有している。カラーフィルタ３７は、さらに、有機ＥＬ素子１１Ｂとの対向領域に、青色の光透過性フィルタ３７Ｂを有しており、有機ＥＬ素子１１Ｗとの対向領域に、白色の光透過性フィルタ３７Ｗを有している。
【００３０】
有機ＥＬ素子１１は、有機層３４を反射電極３２および透明電極３５で挟み込んだ構造となっている。具体的には、有機ＥＬ素子１１Ｒにおいて、有機層３４は、赤色光を発する有機層３４Ｒと、白色光を発する有機層３４Ｗとが回路基板３１側からこの順に積層された構造となっている。また、有機ＥＬ素子１１Ｇにおいて、有機層３４は、緑色光を発する有機層３４Ｇと、有機層３４Ｗとが回路基板３１側からこの順に積層された構造となっている。また、有機ＥＬ素子１１Ｂにおいて、有機層３４は、青色光を発する有機層３４Ｂと、有機層３４Ｗとが回路基板３１側からこの順に積層された構造となっている。さらに、また、有機ＥＬ素子１１Ｗにおいて、有機層３４は、有機層３４Ｒと、有機層３４Ｇと、有機層３４Ｂと、有機層３４Ｗとが回路基板３１側からこの順に積層された構造となっている。
【００３１】
反射電極３２は、回路基板３１側に形成されており、例えば、有機ＥＬ素子１１のアノード電極として機能する。反射電極３２は、サブピクセル１３ごとに独立に設けられたものである。反射電極３２は、金属材料で構成されており、反射ミラーとしても機能する。一方、透明電極３５は、回路基板３１とは反対側に形成されており、例えば、有機ＥＬ素子１１のカソード電極として機能する。透明電極３５は、各サブピクセル１３を覆うように形成されており、各サブピクセル１３において共通の電極として機能する。透明電極３５は、可視光に対して透明な導電性材料によって構成されている。有機層３４Ｒ，３４Ｇ，４Ｂ，３４Ｗは、それぞれ、例えば、反射電極３２側から順に、正孔注入効率を高める正孔注入層と、発光層への正孔輸送効率を高める正孔輸送層と、電子と正孔との再結合による発光を生じさせる発光層と、発光層への電子輸送効率を高める電子輸送層とを有している。これにより、サブピクセル１３Ｒは、有機層３４Ｒ，３４Ｗから発せられた光が、透明電極３５を介して外部に出力されるか、または、反射電極３２で反射された後、有機層３４Ｒ，３４Ｗおよび透明電極３５を介して外部に出力されるように構成されている。また、サブピクセル１３Ｇは、有機層３４Ｇ，３４Ｗから発せられた光が、透明電極３５を介して外部に出力されるか、または、反射電極３２で反射された後、有機層３４Ｇ，３４Ｗおよび透明電極３５を介して外部に出力されるように構成されている。また、サブピクセル１３Ｂは、有機層３４Ｂ，３４Ｗから発せられた光が、透明電極３５を介して外部に出力されるか、または、反射電極３２で反射された後、有機層３４Ｂ，３４Ｗおよび透明電極３５を介して外部に出力されるように構成されている。
【００３２】
次に、図５を参照して、有機層３４Ｒ，３４Ｇ，３４Ｂのレイアウトについて説明する。図５は、有機層３４Ｒ，３４Ｇ，３４Ｂのレイアウトの一例を表したものである。なお、有機層３４Ｗは、表示領域１０Ａ全体に形成されていることから、図５において、その表記は省略されている。
【００３３】
互いに隣接するサブピクセル１３Ｗ，１３Ｒは、共通の有機層として有機層３４Ｒを有している。有機層３４Ｒは、サブピクセル１３Ｒからサブピクセル１３Ｗへ延在する帯状の形状となっており、互いに隣接するサブピクセル１３Ｗ，１３Ｒにおいて共用されている。同様に、互いに隣接するサブピクセル１３Ｗ，１３Ｇは、共通の有機層として有機層３４Ｇを有している。有機層３４Ｇは、サブピクセル１３Ｇからサブピクセル１３Ｗへ延在する帯状の形状となっており、互いに隣接するサブピクセル１３Ｗ，１３Ｇにおいて共用されている。さらに、互いに隣接するサブピクセル１３Ｗ，１３Ｂは、共通の有機層として有機層３４Ｂを有している。有機層３４Ｂは、サブピクセル１３Ｂからサブピクセル１３Ｗへ延在する帯状の形状となっており、互いに隣接するサブピクセル１３Ｗ，１３Ｂにおいて共用されている。
【００３４】
有機層３４Ｒは、例えば、図示しないが、互いに隣接するサブピクセル１３Ｗ，１３Ｒの形成される位置に開口Ｈｒを有する赤色用のマスクの１つの開口Ｈｒを介した蒸着により形成されている。同様に、有機層３４Ｇは、例えば、図示しないが、互いに隣接するサブピクセル１３Ｗ，１３Ｇの形成される位置に開口Ｈｇを有する緑色用のマスクの１つの開口Ｈｇを介した蒸着により形成されている。また、有機層３４Ｂは、例えば、図示しないが、互いに隣接するサブピクセル１３Ｗ，１３Ｂの形成される位置に開口Ｈｂを有する青色用のマスクの１つの開口Ｈｂを介した蒸着により形成されている。このように、有機層３４Ｒ，３４Ｇ，３４Ｂは、互いに隣接する複数のサブピクセル１３ごとに、１つの開口Ｈｒ，Ｈｇ，Ｈｂで一括して形成されている。そのため、サブピクセル１３Ｒに対して有機層３４Ｒを形成する工程で、サブピクセル１３Ｗに対しても有機層３４Ｒを形成することができる。また、サブピクセル１３Ｇに対して有機層３４Ｇを形成する工程で、サブピクセル１３Ｗに対しても有機層３４Ｇを形成することができる。さらに、サブピクセル１３Ｂに対して有機層３４Ｂを形成する工程で、サブピクセル１３Ｗに対しても有機層３４Ｂを形成することができる。従って、サブピクセル１３Ｗ内に複数の有機層３４Ｒ，３４Ｇ、３４Ｂを形成するための新たな工程は必要ない。
【００３５】
［動作］
次に、本実施の形態の表示装置１の動作の一例について説明する。
【００３６】
この表示装置１では、映像信号２０Ａに対応する信号電圧２２Ｂがデータ線駆動回路２３によって各データ線ＤＴＬに印加されると共に、制御信号２１Ａに応じた選択パルスがゲート線駆動回路２４およびドレイン線駆動回路２５によって複数のゲート線ＷＳＬおよびドレイン線ＤＳＬに順次印加される。これにより、各サブピクセル１３において画素回路１２がオンオフ制御され、各サブピクセル１３の有機ＥＬ素子１１に駆動電流が注入されることにより、正孔と電子とが再結合して発光が起こり、その光が外部に取り出される。その結果、表示パネル１０の表示領域１０Ａにおいて画像が表示される。
【００３７】
［効果］
次に、本実施の形態の表示装置１の効果について説明する。
【００３８】
有機ＥＬ表示装置においてカラー表示を実現するために、サブピクセルの色の種類ごとに有機層を塗り分けることが一般的に行われている。例えば、赤色用のサブピクセルには赤色用の有機層が塗られ、緑色用のサブピクセルには緑色用の有機層が塗られ、青色用のサブピクセルには青色用の有機層が塗られる。しかし、サブピクセルがこのような構成となっている場合には、白発光時に、全てのサブピクセルを点灯させることが必要となるので、消費電力が高くなってしまう。
【００３９】
そこで、白表示用のサブピクセルをさらに設けることが考えられる。例えば、図１４に示したように、全てのサブピクセル１３Ｒ，１３Ｇ，１３Ｂ，１３Ｗにおいて赤色用、緑色用、青色用および白色用の有機層３４Ｒ，３４Ｇ，３４Ｂ，３４Ｗを積層し、各サブピクセル１３Ｒ，１３Ｇ，１３Ｂ，１３Ｗの構成を同一にした上で、カラーフィルタ３７によって色分離を行うことが考えられる。そのようにした場合には、白発光時の消費電力を確かに下げることはできるが、他の色を発光する際にカラーフィルタ３７によるロスが生じるため、他の色を発光する際の消費電力が高くなってしまう。そこで、例えば、図１５に示したように、白色用のサブピクセル１３Ｗだけ、他のサブピクセル１３Ｒ，１３Ｇ，１３Ｂに塗った有機層を全て積層することが考えられる。しかし、そのようにした場合には、製造工程数が増加し、コストが増加してしまう。
【００４０】
一方、本実施の形態では、サブピクセル１３Ｗに隣接するサブピクセル１３Ｒ，１３Ｇ，１３Ｂは、それぞれ、サブピクセル１３Ｗと共通の有機層を別個に有している。具体的には、互いに隣接するサブピクセル１３Ｗ，１３Ｒは、共通の有機層として有機層３４Ｒを有している。同様に、互いに隣接するサブピクセル１３Ｗ，１３Ｇは、共通の有機層として有機層３４Ｇを有している。さらに、互いに隣接するサブピクセル１３Ｗ，１３Ｂは、共通の有機層として有機層３４Ｂを有している。これにより、サブピクセル１３Ｗだけ点灯することにより、白発光が可能となり、サブピクセル１３Ｒ，１３Ｇまたは１３Ｂを点灯することにより、赤発光、緑発光または青発光が可能となる。その結果、カラーフィルタ３７による大幅な発光ロスをなくすことができる。また、本技術では、互いに隣接するサブピクセルに対して共通の有機層が設けられているので、サブピクセル１３Ｒ，１３Ｇ，１３Ｂの塗り分けと同工程数で、サブピクセル１３Ｒ，１３Ｇ，１３Ｂ，１３Ｗの塗り分けが可能である。従って、製造工程数および消費電力の双方の増加を抑えることができる。
【００４１】
＜２．変形例＞
[変形例１]
上記実施の形態において、有機層３４Ｒ，３４Ｇの代わりに、黄色光を発する有機層３４Ｙが設けられていてもよい。図６は、有機層３４Ｙのレイアウトの一例を表したものである。図７は、図６のＡ−Ａ矢視方向の断面構成の一例を表したものである。有機層３４Ｙは、サブピクセル１３Ｒ，１３Ｇ，１３Ｗにとって共通の有機層である。有機層３４Ｙは、例えば、図６、図７に示したように、サブピクセル１３Ｂと対応する箇所に開口Ｈｙを有しており、表示領域１０Ａのうち、サブピクセル１３Ｂと対応する箇所を除く領域全体を覆っている。
【００４２】
本変形例では、サブピクセル１３Ｗに隣接するサブピクセル１３Ｒ，１３Ｇ，１３Ｂは、それぞれ、サブピクセル１３Ｗと共通の有機層を有している。具体的には、サブピクセル１３Ｒ，１３Ｇ，１３Ｗは、共通の有機層として有機層３４Ｙを有している。さらに、互いに隣接するサブピクセル１３Ｗ，１３Ｂは、共通の有機層として有機層３４Ｂを有している。これにより、サブピクセル１３Ｗだけ点灯することにより、白発光が可能となり、サブピクセル１３Ｒ，１３Ｇまたは１３Ｂを点灯し、その光をカラーフィルタ３７に透過させることにより、赤発光、緑発光または青発光が可能となる。その結果、カラーフィルタ３７による大幅な発光ロスをなくすことができる。また、本変形例では、サブピクセル１３Ｒ，１３Ｇ，１３Ｂの塗り分けよりも少ない工程数で、サブピクセル１３Ｒ，１３Ｇ，１３Ｂ，１３Ｗの塗り分けが可能である。従って、本変形例では、製造工程数および消費電力の双方の増加を抑えることができる。
【００４３】
＜３．モジュールおよび適用例＞
以下、上記実施の形態およびその変形例で説明した表示装置１の適用例について説明する。表示装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００４４】
［モジュール］
表示装置１は、例えば、図８に示したようなモジュールとして、後述する適用例１〜５などの種々の電子機器に組み込まれる。このモジュールは、例えば、基板３の一辺に、表示パネル１０を封止する部材（図示せず）から露出した領域２１０を設け、この露出した領域２１０に、タイミング生成回路２１、映像信号処理回路２２、データ線駆動回路２３、ゲート線駆動回路２４およびドレイン線駆動回路２５の配線を延長して外部接続端子（図示せず）を形成したものである。外部接続端子には、信号の入出力のためのフレキシブルプリント配線基板（ＦＰＣ；Flexible Printed Circuit）２２０が設けられていてもよい。
【００４５】
［適用例１］
図９は、表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００は、表示装置１により構成されている。
【００４６】
［適用例２］
図１０は、表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、表示装置１により構成されている。
【００４７】
［適用例３］
図１１は、表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、表示装置１により構成されている。
【００４８】
［適用例４］
図１２は、表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、表示装置１により構成されている。
【００４９】
［適用例５］
図１３は、表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、表示装置１により構成されている。
【００５０】
以上、上記各実施の形態および適用例を挙げて本技術を説明したが、本技術はそれらに限定されるものではなく、種々変形が可能である。
【００５１】
例えば、上記実施の形態等では、本技術を表示装置に適用した場合について説明したが、それ以外のデバイス、例えば、照明装置などに適用することも可能である。照明装置の場合には、上記の表示パネルは、発光パネルとなる。
【００５２】
また、上記実施の形態等では、表示装置がアクティブマトリクス型である場合について説明したが、アクティブマトリクス駆動のための画素回路１２の構成は上記実施の形態等で説明したものに限られない。従って、必要に応じて容量素子やトランジスタを画素回路１２に追加することが可能である。その場合、画素回路１２の変更に応じて、上述したタイミング生成回路２１、映像信号処理回路２２、データ線駆動回路２３、ゲート線駆動回路２４およびドレイン線駆動回路２５のほかに、必要な駆動回路を追加してもよい。
【００５３】
また、上記実施の形態等では、データ線駆動回路２３、ゲート線駆動回路２４およびドレイン線駆動回路２５の駆動をタイミング生成回路２１および映像信号処理回路２２が制御していたが、他の回路がこれらの駆動を制御するようにしてもよい。また、データ線駆動回路２３、ゲート線駆動回路２４およびドレイン線駆動回路２５の制御は、ハードウェア（回路）で行われていてもよいし、ソフトウェア（プログラム）で行われていてもよい。
【００５４】
また、上記実施の形態等では、書込トランジスタＴｗｓのソースおよびドレインや、駆動トランジスタＴｄｒのソースおよびドレインが固定されたものとして説明されていたが、いうまでもなく、電流の流れる向きによっては、ソースとドレインの対向関係が上記の説明とは逆になることがある。
【００５５】
また、上記実施の形態等では、書込トランジスタＴｗｓおよび駆動トランジスタＴｄｒがｎチャネルＭＯＳ型のＴＦＴにより形成されているものとして説明されていたが、書込トランジスタＴｗｓおよび駆動トランジスタＴｄｒの少なくとも一方がｐチャネルＭＯＳ型のＴＦＴにより形成されていてもよい。なお、駆動トランジスタＴｄｒがｐチャネルＭＯＳ型のＴＦＴにより形成されている場合には、上記実施の形態等において、有機ＥＬ素子１１のアノード３５Ａがカソードとなり、有機ＥＬ素子１１のカソード３５Ｂがアノードとなる。また、上記実施の形態等において、書込トランジスタＴｗｓおよび駆動トランジスタＴｄｒは、常に、アモルファスシリコン型のＴＦＴやマイクロシリコン型のＴＦＴである必要はなく、例えば、低温ポリシリコン型のＴＦＴであってもよい。
【００５６】
また、例えば、本技術は以下のような構成を取ることができる。
（１）
第１画素と、前記第１画素に隣接して配置された第２画素、第３画素および第４画素を備え、
前記第１画素および前記第２画素は、共通の第１有機層を有し、
前記第１画素および前記第３画素は、共通の第２有機層を有し、
前記第１画素および前記第４画素は、共通の第３有機層を有する
発光パネル。
（２）
前記第１有機層は、前記第２画素から前記第１画素へ延在する赤色用の有機層であり、
前記第２有機層は、前記第３画素から前記第１画素へ延在する緑色用の有機層であり、
前記第３有機層は、前記第４画素から前記第１画素へ延在する青色用の有機層である
（１）に記載の発光パネル。
（３）
前記第１有機層および前記第２有機層は、前記第２画素、前記第３画素および前記第１画素にとって共通の有機層であって、かつ、黄色光を発する有機層であり、
前記第３有機層は、前記第４画素から前記第１画素へ延在する青色用の有機層である
（１）に記載の発光パネル。
（４）
前記第１画素、前記第２画素、前記第３画素および前記第４画素は、画素ごとに独立に設けられたアノード電極を有する
（１）ないし（３）のいずれか１つに記載の発光パネル。
（５）
表示パネルと、前記表示パネルを駆動する駆動回路とを備え、
前記表示パネルは、第１画素と、前記第１画素に隣接して配置された第２画素、第３画素および第４画素を有し、
前記第１画素および前記第２画素は、共通の第１有機層を有し、
前記第１画素および前記第３画素は、共通の第２有機層を有し、
前記第１画素および前記第４画素は、共通の第３有機層を有する
表示装置。
（６）
表示装置を備え、
前記表示装置は、表示パネルと、前記表示パネルを駆動する駆動回路とを有し、
前記表示パネルは、第１画素と、前記第１画素に隣接して配置された第２画素、第３画素および第４画素を有し、
前記第１画素および前記第２画素は、共通の第１有機層を有し、
前記第１画素および前記第３画素は、共通の第２有機層を有し、
前記第１画素および前記第４画素は、共通の第３有機層を有する
電子機器。
【符号の説明】
【００５７】
１…表示装置、１０…表示パネル、１０Ａ…表示領域、１１，１１Ｒ，１１Ｇ，１１Ｂ…有機ＥＬ素子、１２…画素回路、１３，１３Ｒ，１３Ｇ，１３Ｂ…サブピクセル、１４…表示画素、２０…駆動回路、２１…タイミング生成回路、２１Ａ…制御信号、２２…映像信号処理回路、２３…データ線駆動回路、２４…ゲート線駆動回路、２５…ドレイン線駆動回路、３１…回路基板、３２…反射電極、３３…樹脂層、３３Ａ…開口、３４…有機層、３５…透明電極、３６…絶縁層、３７…カラーフィルタ、３７Ｒ，３７Ｇ，３７Ｂ，３７Ｗ…光透過性フィルタ、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ、Ｃｓ…保持容量、ＤＳＬ…ドレイン線、ＤＴＬ…データ線、Ｈｙ…開口、Ｔｄｒ…駆動トランジスタ、Ｔｗｓ…書込トランジスタ、ＷＳＬ…ゲート線。
【図１】
0005927601.tif 000002
【図２】
0005927601.tif 000003
【図３】
0005927601.tif 000004
【図４】
0005927601.tif 000005
【図５】
0005927601.tif 000006
【図６】
0005927601.tif 000007
【図７】
0005927601.tif 000008
【図８】
0005927601.tif 000009
【図９】
0005927601.tif 000010
【図１０】
0005927601.tif 000011
【図１１】
0005927601.tif 000012
【図１２】
0005927601.tif 000013
【図１３】
0005927601.tif 000014
【図１４】
0005927601.tif 000015
【図１５】
0005927601.tif 000016